(57)【要約】【課題】本発明は、緊急事態で防犯ブザーなどの警報音を鳴らすには、スイッチ操作をするが、その時点でパニックに陥りスイッチ操作が出来ない。そこで人が緊急事態に遭遇した時に心拍が上昇した状態の心拍数と、平常時の心拍数とを比較判断することでスイッチ操作をしなくても警報音を鳴らすことができる緊急通報装置の提供を目的とする。【解決手段】上記目的を達成するために本発明の緊急通報装置は、警報音を発する警報音出力手段と、警報音出力手段から警報音を発することのスイッチ操作する警報音スイッチ手段と、人の心拍を検出する心拍検出手段と、心拍検出手段による心拍数から警報音を発することの判定する制御判定処理手段と、制御判定処理手段に判定の基となる基準値を与える心拍数基準値設定手段と、制御判定処理手段からの制御を受けて筐体を振動させる筐体振動手段を有することを特徴としている。【選択図】図１
2007241977.tif 000002
【特許請求の範囲】
【請求項１】
警報音を発する警報音出力手段と、前記警報音出力手段から警報音を発することのスイッチ操作する警報音スイッチ手段と、人の心拍を検出する心拍検出手段と、前記心拍検出手段による心拍数から警報音を発することの判定する制御判定処理手段と、前記制御判定処理手段に判定の基となる基準値を与える心拍数基準値設定手段と、前記制御判定処理手段からの制御を受けて筐体を振動させる筐体振動手段を有することを特徴とする緊急通報装置。
【請求項２】
前記制御判定処理手段は、心拍数の判定処理に基づいて前記警報音出力手段から警報音を発することの制御に先立ち、筐体を前記筐体振動手段で振動させることを特徴とする請求項１記載の緊急通報装置。
【請求項３】
前記制御判定処理手段は、筐体を前記筐体振動手段によって予め定められた制限時間で振動させている間に前記警報音スイッチ手段のスイッチ操作が無ければ、前記警報音出力手段から警報音を発することの制御をすることを特徴とする請求項１記載の緊急通報装置。
【請求項４】
前記制御判定処理手段は、筐体を前記筐体振動手段によって予め定められた制限時間で振動させている間に前記警報音スイッチ手段のスイッチ操作が有れば、前記警報音出力手段から警報音を発することの制御をしないことを特徴とする請求項１記載の緊急通報装置。
【発明の詳細な説明】
【技術分野】
【０００１】本発明は、緊急事態を通報する緊急通報装置に関するものである。
【背景技術】
【０００２】人が犯罪行為などの緊急事態に遭遇したことを周辺の人々に知らせる手段として、大音量の警報音を発する防犯ブザーなどが広く使用されている。
【発明の開示】
【発明が解決しようとする課題】
【０００３】防犯ブザーなどで警報音を鳴らすにはスイッチ操作を行うことが必要とするが、人は緊急事態に遭遇した時点でパニックに陥り、スイッチ操作が出来ない状態になり易い。【０００４】そこで本発明は、人が緊急事態に遭遇した時において、心拍が上昇する状態の心拍数と、平常時の心拍数とを比較判断することにより、警報音を発するスイッチ操作をしなくても警報音を鳴らすことができる緊急通報装置の提供を目的とする。
【課題を解決するための手段】
【０００５】上記目的を達成するために本発明の緊急通報装置は、警報音を発する警報音出力手段と、前記警報音出力手段から警報音を発することのスイッチ操作する警報音スイッチ手段と、人の心拍を検出する心拍検出手段と、前記心拍検出手段による心拍数から警報音を発することの判定する制御判定処理手段と、前記制御判定処理手段に判定の基となる基準値を与える心拍数基準値設定手段と、前記制御判定処理手段からの制御を受けて筐体を振動させる筐体振動手段を有することを特徴としている。【０００６】前記制御判定処理手段は、心拍数の判定処理に基づいて前記警報音出力手段から警報音を発することの制御に先立ち筐体を前記筐体振動手段で振動させることを特徴としている。【０００７】前記制御判定処理手段は、筐体を前記筐体振動手段によって予め定められた制限時間で振動させている間に前記警報音スイッチ手段のスイッチ操作が無ければ、前記警報音出力手段から警報音を発することの制御をすることを特徴としている。【０００８】前記制御判定処理手段は、筐体を前記筐体振動手段によって予め定められた制限時間で振動させている間に前記警報音スイッチ手段のスイッチ操作が有れば、前記警報音出力手段から警報音を発することの制御をしないことを特徴としている。
【発明の効果】
【０００９】本発明によって、人が犯罪行為などの緊急事態に遭遇してパニックに陥り、警報音を鳴らすスイッチ操作が出来なくても心拍の上昇を捕らえて自動的に警報音を鳴らすことが出来る。
【発明を実施するための最良の形態】
【００１０】本発明の緊急通報装置を、図面を基に説明する。図１は実施例における装置構成の概要を示すブロック図である。人の心臓の心拍を感知する心拍検出手段１００おいて、筋電の変化を感知する心電センサー１１０または、心臓の音を感知する心臓音センサー１２０、血管に流れる血流の変化を感知する血流量センサー１３０、心臓が動くことによる振動を感知する心臓振動センサー１４０などで心拍の検出を行い心拍信号として、制御判定処理手段２００に渡される。【００１１】制御判定処理手段２００のＣＰＵ部２１０は、心拍信号を監視しながら心拍数を計測すると共に、心拍数基準値設定手段４００の上限値設定スイッチ４１０及び下限値設定スイッチ４２０によって設定された値と、心拍検出手段１００で検出された心拍数とを比較判定することで緊急事態の発生と判断する。【００１２】緊急事態の発生の判定は、人の心拍数を心拍数基準値設定手段４００で設定された上限値または下限値に基づいて判定されるが、心拍の上限値による判定によって警報音を鳴らすことに先立って、緊急事態での心理的変化による心拍の上昇と、人の運動量の増加による心拍の上昇の様に、その他の原因による心拍の上昇と区別することは、当事者の本人の判断に委ねることにおいて、警報音スイッチ手段３００のＯＮ／ＯＦＦスイッチ３１０の操作手順の処理とする。【００１３】まず制御判定処理手段２００の制御により筐体振動手段６００の振動モーター部６１０を動作させることで緊急通報装置本体が振動する。この振動が当事者の本人に伝わることで緊急事態の発生と判定したことの合図として認識させる。筐体振動手段６００による振動は、予め定められた制限時間の間まで振動させる。【００１４】この振動をしている制限時間内で警報音スイッチ手段３００のＯＮ／ＯＦＦスイッチ３１０の操作が無ければ、緊急事態の発生と判断して警報音出力手段５００のブザー５２０を動作させる駆動部５１０に制御を行うことで警報音を発して緊急事態を周辺に通報する。この手順処理は、スイッチ操作をすることが出来ない状況で有ると仮定して、本人が緊急事態に遭遇していると判断する。【００１５】また、この制限時間内で警報音スイッチ手段３００のＯＮ／ＯＦＦスイッチ３１０の操作が有れば、警報音を発する制御をせずに、引き続いて心拍検出手段１００からの心拍信号を監視する。この手順処理は、自分の意志でスイッチ操作をすることが出来ることから、緊急事態で無いと判断する。【００１６】通常においては、制御判定処理手段２００が心拍を監視中に、警報音スイッチ手段３００のＯＮ／ＯＦＦスイッチ３１０の操作があれば、筐体振動手段６００による振動の処理をしないで、直ちに警報音出力手段５００から警報音を発する。この手順処理は、自分の意志で緊急事態であることを認識して、スイッチ操作を行ったと判断する。
【図面の簡単な説明】
【００１７】
【図１】は実施形態による緊急通報装置の構成を示すブロック図である。
【符号の説明】
【００１８】１００  心拍検出手段
１１０  心電センサー
１２０  心臓音センサー
１３０  血流量センサー
１４０  心臓振動センサー
２００  制御判定処理手段
２１０  ＣＰＵ部（中央演算装置）
３００  警報音スイッチ手段
３１０  ＯＮ／ＯＦＦスイッチ
４００  心拍数基準値設定手段
４１０  上限設定スイッチ
４２０  下限設定スイッチ
５００  警報音出力手段
５１０  駆動部
５２０  ブザー
６００  筐体振動手段
６１０  振動モーター部
【図１】
2007241977.tif 000003